(57)【要約】【課題】インターネットに接続されたパソコン等のディスプレイに表示されたホームページや各サイトの画面について、表示物が見られることなく無視されることを防ぎ、表示物への関心を高める手段を提供する。【解決手段】ナンバーコード及び確認コードを付与した画面表示データを、ユーザーに配信し、インターネットに接続されたパーソナルコンピュータの入力手段を介して、ユーザーコードと共に入力されたナンバーコード及び確認コードを、サーバーが登録された当選情報と照会し、照会結果に応じて、ポイントを付与し、該ポイントを、ユーザー毎にプールする。【選択図】  なし【特許請求の範囲】
【請求項１】
ユーザーに配信する画面表示データに、コードを付与し、
コードを付与した画面表示データを、ユーザーに配信し、
入力手段を介して入力されたコードを、
サーバーが登録された当選情報と照会することを特徴とする、
表示データ配信方法。
【請求項２】
ユーザーに配信する画面表示データに、ナンバーコード及び確認コードを付与し、
該ナンバーコード及び確認コードを付与した画面表示データを、ユーザーに配信し、
入力手段を介してユーザーコードと共に入力されたナンバーコード及び確認コードを、
サーバーが登録された当選情報と照会し、
照会結果に応じて、ポイントを付与し、
該ポイントを、ユーザー毎にプールすることを特徴とする、
表示データ配信方法。
【発明の詳細な説明】
【０００１】
【発明が属する技術分野】
【０００２】
本発明は表示データ配信方法に関し、詳細には、ユーザーのディスプレイに表示されるホームページや各サイトの画面の全部又は一部における各種の表示、例えば、バナー広告、チラシ、新聞、書籍、雑誌、リーフレット、カタログ、パンフレットなどの画面に表示される各種データについての配信方法に関する。
【０００３】
【従来の技術】
【０００４】
インターネット上で画面表示データを扱う技術として、特許文献１（特開２００２−２３０３９８号公報）に記載されたチラシ情報配信方法、及び、チラシ情報配信システムが存在する。
この技術は、多くの読者に対して、有用なチラシ情報を効率よく、低コストで提供するもので、配信先となるネットワークアドレス、及び、必要なチラシ情報を選択するためのチラシ選択情報を含んだ読者情報を読者情報記憶装置に記憶し、宣伝情報、該宣伝情報の有効期間を示す有効期間情報、及び、チラシ情報の発行商店を示す発行商店情報を含んだチラシ基礎情報を基礎情報記憶装置に記憶し、商店特定情報を含んだ商店情報を商店情報記憶装置に記憶し、制御部が、チラシ選択情報に基づき、チラシ基礎情報と商店特定情報とをそれぞれ選択して読者毎にチラシ情報を作成して配信するものである。
【０００５】
【特許文献１】
特開２００２−２３０３９８号公報
【０００６】
【発明が解決しようとする課題】
【０００７】
しかしながら、従来の画面表示データ配信方法は、例えば、チラシについての表示データが、インターネットに接続されたパソコン等のディスプレイに表示されるホームページや各サイトの画面に配信された場合であっても、チラシの内容にあまり関心を持たないユーザーは、画面に表示されたチラシ情報を見ることなく無視しがちであった。
そのため、チラシ情報等の配信元では、表示物への関心を高める手段が望まれていた。
【０００８】
従って、本発明の解決しようとする課題は、インターネットに接続されたパソコン等のディスプレイに表示されたホームページや各サイトの画面において、表示物が見られることなく無視されることを防ぎ、表示物への関心を高める手段を提供することにある。
【０００９】
【課題を解決するための手段】
【００１０】
本発明の課題を解決するための手段は、下記のとおりである。
【００１１】
第１に、ユーザーに配信する画面表示データに、コードを付与し、
コードを付与した画面表示データを、ユーザーに配信し、
入力手段を介して入力されたコードを、
サーバーが登録された当選情報と照会することを特徴とする、
表示データ配信方法。
第２に、ユーザーに配信する画面表示データに、ナンバーコード及び確認コードを付与し、
該ナンバーコード及び確認コードを付与した画面表示データを、ユーザーに配信し、
入力手段を介してユーザーコードと共に入力されたナンバーコード及び確認コードを、
サーバーが登録された当選情報と照会し、
照会結果に応じて、ポイントを付与し、
該ポイントを、ユーザー毎にプールすることを特徴とする、
表示データ配信方法。
【００１２】
入力手段としては、ユーザーからの電話を音声自動処理によって受け付ける他に、ユーザーが通信回線に接続されたパーソナルコンピュータ等を用いて直接に入力することもできるし、オペレータが処理して入力することもできるし、携帯電話を介して行うこともできる。
【００１３】
コードは、数字やアルファベットを組み合わせたナンバーコードの他に、バーコードや各種の情報コードを用いることができる。
【００１４】
本発明におけるユーザーに配信する画面表示データとは、ユーザーからのアクセスによって、個々のユーザーに向けて各ユーザー毎に配信するデータの他に、ユーザーがホームページや各種のサイトにアクセスした際に表示される共通のデータを含む。
【００１５】
ユーザーに配信する画面表示データに、コードを付与するには、ユーザーからのアクセスによって、個々のユーザーに向けて各ユーザー毎に配信する場合に、各ユーザーからのアクセスによって、例えばアクセスカウンタ機能を有するナンバーコード発生手段により発生した個別のナンバーコードを付与することで行うことができる。
また、ユーザーがホームページや各種のサイトにアクセスした際に表示される共通のデータに、コードを付与する場合に、タイム機能を有するナンバーコード発生手段により、例えば、一定の時間毎に異なるナンバーコードを付与することで行うことができる。
【００１６】
確認コードは、ナンバーコードが真正なものか否かを判断するのに使うもので、各ナンバーに応じて数字やアルファベットや記号等の特有のものを付与することができる。
例えば、ナンバーコードが１００で確認コードがＡＢであるとすると、ナンバーコード１００が偶然に入力された場合でも、確認コードがＡＡであれば虚偽であると判断することができ、不正を防止することが可能となる。
【００１７】
【実施例】
【００１８】
以下に、画面表示データとして広告データを含んだものに対して行う、本発明の画面表示データ配信方法の一実施例について説明する。
なお、本発明の表示データ配信方法は、インターネットに接続されたパーソナルコンピュータのディスプレイに配信するだけに限定されず、ディスプレイを有する携帯電話や各種のＰＤＡ、デジタル放送等の双方向通信に用いるテレビ、インターネットへの接続可能なテレビ、ディスプレイ画面を有する電話等に配信する場合も含まれる。
【００１９】
インターネットに接続されたパーソナルコンピュータを有するユーザーからのアクセスによって、個々のユーザーに向けて各ユーザー毎に配信する広告データに、ナンバーコード及び確認コードを付与する。
【００２０】
ここで、ユーザーに配信する広告データに、コードを付与するには、アクセスカウンタ機能を有するナンバーコード発生手段により、発生した連続番号による個別のナンバーコードを付与することで行う。
【００２１】
なお、ナンバーコード発生手段では、乱数機能を用いて、各ユーザー毎に任意の番号を付与することもできる。
【００２２】
そして、該ナンバーコード及び確認コードを広告データに付与した画面表示データを、ユーザーに配信する。
【００２３】
ユーザーに配信された画面表示データは、ユーザーのパーソナルコンピュータのディスプレイに表示される。
【００２４】
ディスプレイに表示された広告データを含む画面表示データには、ナンバーコードが付与されており、該ナンバーコードが画面の一部に表示される。
【００２５】
そのため、ユーザーは、広告データに関心を示すので、広告データ自体が無視されることを防止できる。
【００２６】
広告データに付与されたナンバーコード及び確認コードを認識したユーザーは、インターネットに接続されたパーソナルコンピュータの入力手段を介して、ユーザーコードと共にナンバーコード及び確認コードを入力する。
【００２７】
そして、入力情報に従い、サーバーが、登録された当選情報と照会する。
【００２８】
ここで、例えば、ナンバーコードが１００で確認コードがＡＢであるとすると、ナンバーコード１００で確認コードＡＡが入力された場合には、入力ミスの場合を考慮して再入力の機会を３回程度に限定する。
そして、それでも異なる場合には、虚偽の可能性があると判断し、その後の処理を停止することで、不正を防止することが可能となる。
【００２９】
照会結果に応じて、サーバーが、ユーザー毎にポイントを付与する。
例えば、１等の場合には１００点、２等の場合には５０点、６等の場合には１点を付与する。
【００３０】
そして、該ポイントを、入力されたユーザーコードに従って区分けし、ユーザー毎に、サーバーの記録手段に記録することで、ユーザー毎にポイントをプールする。
【００３１】
プールしたポイントは、ユーザーが、パーソナルコンピュータの入力手段を介してユーザーコードを入力することで確認できる。
また、該ポイントは、所定のショッピングサイトで、ユーザーが商品購入のために対価として使うことができる。
【００３２】
【発明の効果】
【００３３】
本発明によれば、インターネットに接続されたパソコン等のディスプレイに表示されたホームページや各サイトの画面の広告データ等について、表示物が見られることなく無視されることを防ぎ、表示物への関心を高めることができる。